(57)【要約】【課題】極めて簡単で速やかな施工によって非構造体のＰＣ飾り柱を上下階の層間変位に追従可能に連結することができるＰＣ飾り柱の連結構造を提供する。【解決手段】下端部に凹部３を形成したＰＣ飾り柱２の前記凹部３内に連結筋４を突設させる一方、ＰＣ飾り柱２の取付け部に前記連結筋４を層間変位に追従可能に支持する略Ｕ字状の凹溝５が形成された連結板６を立設させ、前記凹部３の形状に合わせて形成されたコンクリート製カバー７を用いて前記連結板６に連結筋を係合させた連結部分Ｊを被覆して構成されている。【選択図】図２
2011174279.tif 000002
【特許請求の範囲】
【請求項１】
下端部に凹部を形成したＰＣ飾り柱の前記凹部内に連結筋を突設させる一方、
ＰＣ飾り柱の取付け部に前記連結筋を層間変位に追従可能に支持する略Ｕ字状の凹溝が形成された連結板を立設させ、
前記凹部の形状に合わせて形成されたコンクリート製カバーを用いて前記連結板に連結筋を係合させた連結部分を被覆してあることを特徴とするＰＣ飾り柱の連結構造。
【請求項２】
前記連結板はＰＣ飾り柱の上端部に立設させてある請求項１に記載のＰＣ飾り柱の連結構造。
【請求項３】
前記ＰＣ飾り柱の上端部近傍にバルコニーの片持ちスラブ内部に配筋される定着筋を突設させてある請求項１または請求項２に記載のＰＣ飾り柱の連結構造。
【発明の詳細な説明】
【技術分野】
【０００１】
本発明は、ＰＣ（プレキャストコンクリート）飾り柱の連結構造に関する。
【背景技術】
【０００２】
特許文献１には、ＰＣマリオン（飾り）柱を非構造部材として建築物の変形に追従できる納まりとするＰＣ飾り柱の接合構造が記載されている。このＰＣ飾り柱の接合構造では、下層階のＰＣ飾り柱の上端部に、バルコニー床等を構成するＰＣスラブに接続するための接続鉄筋を突出させる一方、ＰＣスラブには、上下に貫通しかつ接続鉄筋よりも大径の貫通孔を形成しておき、この貫通孔に前記接続鉄筋を下方から挿通した状態で、この貫通孔の下部を空洞として上部に無収縮モルタル等の充填材を充填し、貫通孔の空洞において前記接続鉄筋が変形することで建築物の層間変形に追従するように構成されている。そして、ＰＣスラブの上方に突き出した前記接続鉄筋の上端部と上層階の下層階のＰＣ飾り柱の接続鉄筋の下端部とをグラウト方式の機械継手で接続するように構成されている。
【０００３】
そのため、特許文献１の構成では、グラウト方式の機械継手が埋設されたＰＣ飾り柱を製造する必要があって、ＰＣ飾り柱の製造コストが高く付き、しかも、無収縮モルタル等の充填材がＰＣスラブに開設した貫通孔と下層階の接続鉄筋の間の空間に流れ込まないようにする必要があり、施工が困難であるだけなく煩雑な行程を必要とするので、接続不良が発生する可能性があった。
【０００４】
このような問題の解決策としては、例えば、下端部に凹部を形成したＰＣ飾り柱の前記凹部内に連結筋を突設させ、ＰＣ飾り柱の取付け部に連結板を立設させることにより、連結板に対する連結筋の取付け位置において位置変動可能として層間変位に追従可能とする構成が考えられる。これにより、連結板と連結筋の連結部分の構造がきわめて簡素になるので工事が容易になるだけでなく、連結板に対する連結筋の位置変動範囲を大きく取ることができるという利点がある。また、前記凹部は前記連結が完了した後に無収縮モルタルで埋め戻すことにより見栄えが良くなるので外観上の問題もクリアできる。
【先行技術文献】
【特許文献】
【０００５】
【特許文献１】特開２００９−２３５６８５号公報
【発明の概要】
【発明が解決しようとする課題】
【０００６】
しかしながら、前記連結板と連結筋の連結部分における位置変動の範囲を大きく取るためには、連結筋を配筋するための凹部を大きく形成する必要があり、それだけ凹部を塞ぐための無収縮モルタルが多く必要となり、これによって製造コストの引き上げを招くという課題がある。また、地震などの自然災害によって建築物に歪みが発生したときに、接続鉄筋と接続板の間の自由な移動がモルタルによって妨げられてモルタル部分が割れてしまうことが懸念され、見栄えが悪くなる恐れがあるという問題があった。
【０００７】
本発明は上述の事柄を考慮に入れてなされたものであって、極めて簡単で速やかな施工によって非構造体のＰＣ飾り柱を上下階の層間変位に追従可能に連結することができるＰＣ飾り柱の連結構造を提供することを課題とする。
【課題を解決するための手段】
【０００８】
前記課題を解決するため、第１発明は、下端部に凹部を形成したＰＣ飾り柱の前記凹部
内に連結筋を突設させる一方、ＰＣ飾り柱の取付け部に前記連結筋を層間変位に追従可能に支持する略Ｕ字状の凹溝が形成された連結板を立設させ、前記凹部の形状に合わせて形成されたコンクリート製カバーを用いて前記連結板に連結筋を係合させた連結部分を被覆してあることを特徴とするＰＣ飾り柱の連結構造を提供する（請求項１）。
【０００９】
前記構成よりなるＰＣ飾り柱の連結構造によれば、連結板に対する連結筋の係合によって上下階の構造体に層間変位が発生した場合にも凹溝に対する連結筋の位置変動によってこれを吸収することができる。コンクリート製カバーは凹部の形状に合わせて形成されているので、凹部にコンクリート製カバーを容易に取り付けることができる。また、凹部を被覆するコンクリート製カバーは連結部分に空間を形成することができるので、この空間内において連結部分の位置変動を妨げるものがなく、地震などによる上下階の層間変位が発生してもコンクリート製カバーが凹部から外れることがない。
【００１０】
連結筋はＰＣ飾り柱内に埋設される鉄筋に溶接または結束線によって緊結され、略Ｌ字状に屈曲させて水平部分を形成した鉄筋であることが好ましく、この水平部分に座金を介してボルトを締付けることにより連結筋を凹部の側面との間で挟み込むことができるように構成されていることが好ましい。つまり、ＰＣ飾り柱の取付け位置に立設させた連結板に連結筋を係合させ、座金とボルトによって締付けるだけでＰＣ飾り柱を取付け可能である。
【００１１】
連結板は連結筋と同じ金属からなる板状体であることが好ましく、その上端部に形成された凹溝はその幅から連結筋の直径を引いた幅の範囲内であれば層間変位に対応することができる。
【００１２】
凹部の開口部とコンクリート製カバーの側面との接合面にはテーパーを形成し、凹部へのコンクリート製カバーの接続時にＰＣ飾り柱とコンクリート製カバーの表面が面一となるように構成されており、かつ、コンクリート製カバーの表面側の角部にはシリコーンなどのシール材によって埋めるため段部を形成してあることが好ましい。
【００１３】
前記連結板はＰＣ飾り柱の上端部に立設させてある場合（請求項２）には、ＰＣ飾り柱を設置することにより、次の階の連結板を形成することができるので、施工がさらに容易となる。なお、連結板はＰＣ飾り柱内に埋設される鉄筋に溶接または結束線によって結束された鉄板であることが好ましい。
【００１４】
前記ＰＣ飾り柱の上端部近傍にバルコニーの片持ちスラブ内部に配筋される定着筋を突設させてある場合（請求項３）には、ＰＣ飾り柱とスラブとの連結を確実に行なうことができる。つまり、ＰＣ飾り柱を連結板に連結した後に、ＰＣ飾り柱の上端部近傍から突出する定着筋を埋設するように、上層階スラブのコンクリートを打設することにより、ＰＣ飾り柱と上層階のスラブを確実に接続することができる。
【００１５】
なお、前記定着筋はＰＣ飾り柱内に埋設される鉄筋に溶接または結束線によって結束された略Ｌ字状に屈曲させた複数の定着主筋と、これらの定着主筋を連結する定着ループ筋とを有することが好ましい。
【発明の効果】
【００１６】
前述したように、本発明によれば、極めて簡単な施工によってＰＣ飾り柱を層間変位に対応可能に連結することができ、速やかに見栄えの良いＰＣ飾り柱を連結させることができる。
【図面の簡単な説明】
【００１７】
【図１】本発明の実施形態に係るＰＣ飾り柱を用いた建築物の全体構成を示す図である。
【図２】本発明のＰＣ飾り柱の連結構造の要部を拡大して示す縦断面側面図である。
【図３】前記ＰＣ飾り柱の連結構造の構成を別の角度から示す側面図である。
【図４】前記ＰＣ飾り柱の連結構造の横断面平面図である。
【図５】前記ＰＣ飾り柱の連結構造の斜視図である。
【図６】前記ＰＣ飾り柱の連結構造を用いて建築物を層毎に形成する構成を示す図である。
【発明を実施するための形態】
【００１８】
図１に示すように、近年の多層集合住宅などの建築物１には外壁面の見栄えをよくするために装飾性を高めたＰＣ飾り柱２を設けることが行なわれている。このＰＣ飾り板２は各階毎に形成されるものであり、この建築物１の構造体を構成するものではない。むしろ、前記各ＰＣ飾り柱２は建築物１の層間変位に追従して位置変動可能に連結される。
【００１９】
図２〜６に示すように、本発明のＰＣ飾り柱２の連結構造は、下端部に凹部３を形成したＰＣ飾り柱２の前記凹部３内に連結筋４を突設させる一方、ＰＣ飾り柱２の取付け部に前記連結筋４を層間変位に追従可能に支持する略Ｕ字状の凹溝５が形成された連結板６を立設させ、前記凹部３の形状に合わせて形成されたコンクリート製カバー７を用いて前記連結板６に連結筋を係合させた連結部分Ｊを被覆して構成されている。また、８は方持ちスラブ、９は方持ちスラブ８内に配筋させるようにＰＣ飾り柱２の上端部近傍から突出する定着筋である。
【００２０】
前記ＰＣ飾り柱２は内部にコンクリート補強用の鉄筋１０を配筋させたプレキャストコンクリートの柱状部材であり、建築物の外側に位置する面には耐候性に優れたパネル１１（図４、５参照）を貼り付けて形成されている。なお、本明細書では個々のＰＣ飾り柱２をその取付け位置によって区別する時には符号２ａ，２ｂを用いる。
【００２１】
本実施形態においては、下層階のＰＣ飾り柱２ａの上端部に、上層階のＰＣ飾り柱２ｂを連結するための連結板６を立設させており、この連結板６に上層階のＰＣ飾り柱２ｂに突設された連結筋４を連結することによってＰＣ飾り柱２を縦方向に連結できるように構成している。また、各ＰＣ飾り柱２を同じ形状にすることが可能であるから、その製造コストを削減できる。
【００２２】
前記凹部３の形状は正面視矩形であり、その側面には逆テーパーが形成されており、前記連結板６を挿入可能であると共に位置変動が可能である程度の空間を形成できる程度の大きさを有するものである。前記連結筋４および連結板６は何れもＰＣ飾り柱２に埋設させた鉄筋１０に連結されており、連結筋４は略Ｌ字状に屈曲させた鉄筋であることが好ましく、その先端部にナット４ａを螺合させる雄ネジを形成している。４ｂ，４ｃは図３に示すように、連結板６に形成した凹溝５より十分に大きな面積を有し、前記連結板６を挟み込んだ状態で保持する座金であり、一方の座金４ｃはＰＣ飾り柱のコンクリートに埋設されている。
【００２３】
前記連結板６は例えば鉄製の板状体であり、その上端部に凹溝５が形成されているので、この凹溝５に係合させるように前記連結筋４を挿入可能である。また、凹溝５の幅はＰＣ飾り柱の連結構造によって上下のＰＣ飾り柱２ａ，２ｂが変位可能な幅を決めるものであるから、凹溝５の幅は大きく形成して連結筋４の移動範囲を大きくしてあることが好ましい（図３参照）。
【００２４】
前記コンクリート製カバー７は前記凹部３の形状に合わせて略矩形状の板状体であり、
プレキャストのコンクリート打設によって形成されたものである。また、その側面には前記凹部３の側面に形成した逆テーパーに対応するテーパーが形成されており、これによって取付け時において凹部３部内の連結部分Ｊに確実に空間を形成し、かつ、表面を面一に合わせることができる。さらに、このコンクリート製カバー７の外周部にはシリコーンなどのシール材で埋めるための段部７ａを形成している。また、Ｂはシール材Ｓのバックアップ用のスペーサーである。
【００２５】
スラブ８は例えばマンションのバルコニーを構成する現場打ちコンクリートによるＲＣ造の片持ちスラブであり、このスラブ８に埋設される定着筋９はスラブ８とＰＣ飾り柱２の接合を安定化させるものであり、ＰＣ飾り柱２内に埋設される鉄筋１０に溶接または結束線によって結束された略Ｌ字状に屈曲させた複数の定着主筋９ａと、これらの定着主筋９ａを連結する定着ループ筋９ｂとを有する。
【００２６】
前記構成のＰＣ飾り柱の連結構造では、下層のＰＣ飾り柱２の上端に立設する連結板６の凹溝５に前記連結筋４を係合させ、座金４ｂ，４ｃによって挟み込んだ状態でナット４ａを締付けることにより、上下のＰＣ飾り柱２を層間変位に対応できるように接続することができる。このとき、座金４ｂ，４ｃを介しては連結板６を挟み込んでいるので、ナット４ａによって締付けた状態でも座金４ｂ，４ｃと連結板６の間の滑りがよく、地震発生時などの層間変位に対応して位置ずれすることが可能である。
【００２７】
また、前記連結筋４と連結板６の連結部分Ｊを覆うようにコンクリート製カバー７を凹部３に嵌め込み、段部７ａにシール材Ｓを埋め込むことにより、コンクリート製カバー７を取付けることができる。このとき、コンクリート製カバー７の側面と凹部３の側面にテーパーを形成しているので、位置決めが容易であり、連結部分Ｊの位置変動が妨げられることがない。
【００２８】
図６に示すように、本実施形態のＰＣ飾り柱２にはその上端部近傍に定着筋９を突設しているので、連結板６にＰＣ飾り柱２を取付けると、この定着筋９が上層階のスラブに埋設されるように型枠１２を組み付けて、上層階のスラブ８’のコンクリートを打設することができる。つまり、本発明のＰＣ飾り柱の連結構造は同じ構成のＰＣ飾り柱２を順次連結することで建築物１に対して化粧柱を容易に取付けることができ、施工にかかる手間を格段に少なくして作業効率が向上し、ひいては、コスト削減を図ることができる。
【００２９】
また、施工後は連結筋４と連結板６の連結部分Ｊにおける位置変動の妨げとなるものがないので、本発明のＰＣ飾り柱の連結構造によって連結されたＰＣ飾り柱２は層間変位に十分に対応することができる。
【産業上の利用可能性】
【００３０】
本発明のＰＣ飾り柱の連結構造は、多層集合住宅の他、ホテル、事務所ビル等の建築物にも適用可能である。
【符号の説明】
【００３１】
１  建築物
２  ＰＣ飾り柱
３  凹部
４  連結筋
５  凹溝
６  連結板
７  コンクリート製カバー
８  スラブ
９  定着筋
【図１】
2011174279.tif 000003
【図２】
2011174279.tif 000004
【図３】
2011174279.tif 000005
【図４】
2011174279.tif 000006
【図５】
2011174279.tif 000007
【図６】
2011174279.tif 000008